(57)【要約】【課題】設定指示情報が設定可能条件を満たすか否かの判定結果を記録媒体上で簡便に確認することができる画像処理装置、画像処理システム及び画像処理プログラムを提供する。【解決手段】画像処理装置２Ａの制御部２０は、設定シート１１から読み取られた画像データに対して解析処理を行って、設定シート１１に記録された設定指示情報を取得する画像解析手段２００、画像解析手段２００により取得された設定指示情報が、動作条件情報２１１に基づいて設定可能か否かを判定する動作条件判定手段２０１、動作条件判定手段２０１による判定結果を示す情報として合成画像を生成する合成画像生成手段２０２、及び設定指示情報に基づいて動作条件情報２１１を設定する設定手段２０３等として機能する。【選択図】図１
2009224973.tif 000002
【特許請求の範囲】
【請求項１】
画像処理に関する設定可能条件を記憶する記憶手段と、
記録媒体から読み取られた画像から、前記記録媒体に記録された設定指示情報を取得する取得手段と、
前記取得手段により取得された前記設定指示情報が、前記記憶手段に記憶された前記設定可能条件に基づいて設定可能か否かを判定し、その判定結果を示す情報を記録媒体に印字出力する出力手段とを備えた画像処理装置。
【請求項２】
前記出力手段は、前記設定指示情報が記録された記録媒体に前記判定結果を示す情報を印字出力する請求項１に記載の画像処理装置。
【請求項３】
前記出力手段は、前記記録媒体を読み取った回数を示す回数情報を付加して前記判定結果を示す情報を印字出力する請求項１に記載の画像処理装置。
【請求項４】
前記出力手段は、前記記録媒体を読み取った回数に応じて、前記判定結果を示す情報を印字出力する際の出力態様を変更する請求項１に記載の画像処理装置。
【請求項５】
前記記憶手段は、複数の設定項目の間で同時に設定可能な候補を示す同時設定条件を記憶し、
前記出力手段は、前記設定指示情報が、前記同時設定条件に基づいて設定不可能と判定したとき、前記複数の設定項目の間で同時に設定可能な候補の組合せを示す情報を印字出力する請求項１に記載の画像処理装置。
【請求項６】
画像処理に関する設定可能条件を記憶する記憶手段と、
設定指示情報が記録された記録媒体を読み取る読取手段と、
前記読取手段により前記記録媒体が読み取られた画像から、前記設定指示情報を取得する取得手段と、
前記取得手段により取得された前記設定指示情報が、前記記憶手段に記憶された前記設定可能条件に基づいて設定可能か否かを判定し、その判定結果を示す情報を記録媒体に印字出力する出力手段とを備えた画像処理システム。
【請求項７】
記録媒体から読み取られた画像から、前記記録媒体に記録された設定指示情報を取得する取得ステップと、
前記取得ステップにより取得された前記設定指示情報が、記憶手段に記憶された画像処理に関する設定可能条件に基づいて設定可能か否かを判定し、その判定結果を示す情報を含む記録媒体出力情報を生成する生成ステップとをコンピュータに実行させるための画像処理プログラム。
【発明の詳細な説明】
【技術分野】
【０００１】
本発明は、画像処理装置、画像処理システム及び画像処理プログラムに関する。
【背景技術】
【０００２】
従来、画像処理装置の設定モードを変更するための設定用シートに記入された内容を読み取って、その記入内容に応じてモード設定を行う画像処理装置が提案されている（例えば、特許文献１参照。）。
【０００３】
この画像処理装置は、画像を読み取るスキャナによって設定モードに関する項目が印刷された設定用シートの画像を読み取り、この設定用シートに記入された内容に応じて自動的にモード設定を行う手段を備える。これにより、モード設定を行う際にパネル操作による入力操作を不要にすることができる。
【特許文献１】特開平５−１１２０６４号公報
【発明の開示】
【発明が解決しようとする課題】
【０００４】
本発明の目的は、本構成を有していない場合に比較して、設定指示情報が設定可能条件を満たすか否かの判定結果を記録媒体上で簡便に確認することができる画像処理装置、画像処理システム及び画像処理プログラムを提供することにある。
【課題を解決するための手段】
【０００５】
本発明の一態様は、上記目的を達成するため、以下の画像処理装置、画像処理システム及び画像処理プログラムを提供する。
【０００６】
［１］画像処理に関する設定可能条件を記憶する記憶手段と、記録媒体から読み取られた画像から、前記記録媒体に記録された設定指示情報を取得する取得手段と、前記取得手段により取得された前記設定指示情報が、前記記憶手段に記憶された前記設定可能条件に基づいて設定可能か否かを判定し、その判定結果を示す情報を記録媒体に印字出力する出力手段とを備えた画像処理装置。
【０００７】
［２］前記出力手段は、前記設定指示情報が記録された記録媒体に前記判定結果を示す情報を印字出力する前記［１］に記載の画像処理装置。
【０００８】
［３］前記出力手段は、前記記録媒体を読み取った回数を示す回数情報を付加して前記判定結果を示す情報を印字出力する前記［１］に記載の画像処理装置。
【０００９】
［４］前記出力手段は、前記記録媒体を読み取った回数に応じて、前記判定結果を示す情報を印字出力する際の出力態様を変更する前記［１］に記載の画像処理装置。
【００１０】
［５］前記記憶手段は、複数の設定項目の間で同時に設定可能な候補を示す同時設定条件を記憶し、前記出力手段は、前記設定指示情報が、前記同時設定条件に基づいて設定不可能と判定したとき、前記複数の設定項目の間で同時に設定可能な候補の組合せを示す情報を印字出力する前記［１］に記載の画像処理装置。
【００１１】
［６］画像処理に関する設定可能条件を記憶する記憶手段と、設定指示情報が記録された記録媒体を読み取る読取手段と、前記読取手段により前記記録媒体が読み取られた画像から、前記設定指示情報を取得する取得手段と、前記取得手段により取得された前記設定指示情報が、前記記憶手段に記憶された前記設定可能条件に基づいて設定可能か否かを判定し、その判定結果を示す情報を記録媒体に印字出力する出力手段とを備えた画像処理システム。
【００１２】
［７］記録媒体から読み取られた画像から、前記記録媒体に記録された設定指示情報を取得する取得ステップと、前記取得ステップにより取得された前記設定指示情報が、記憶手段に記憶された画像処理に関する設定可能条件に基づいて設定可能か否かを判定し、その判定結果を示す情報を含む記録媒体出力情報を生成する生成ステップとをコンピュータに実行させるための画像処理プログラム。
【発明の効果】
【００１３】
請求項１に係る画像処理装置によれば、本構成を有していない場合に比較して、設定指示情報が設定可能条件を満たすか否かの判定結果を記録媒体上で簡便に確認することができる。
【００１４】
請求項２に係る画像処理装置によれば、記録媒体上の設定指示情報を修正することにより、記録媒体を再利用することができる。
【００１５】
請求項３に係る画像処理装置によれば、記録媒体を読み取った回数を認識することができる。
【００１６】
請求項４に係る画像処理装置によれば、出力態様の違いにより判定結果を示す情報を識別することができる。
【００１７】
請求項５に係る画像処理装置によれば、本構成を有していない場合に比較して、複数の設定項目間で同時に設定可能な候補の組合せを簡便に指示することができる。
【００１８】
請求項６に係る画像処理システムによれば、本構成を有していない場合に比較して、設定指示情報が設定可能条件を満たすか否かの判定結果を記録媒体上で簡便に確認することができる。
【００１９】
請求項７に係る画像処理プログラムによれば、本構成を有していない場合に比較して、設定指示情報が設定可能条件を満たすか否かの判定結果を記録媒体上で簡便に確認することができる。
【発明を実施するための最良の形態】
【００２０】
［第１の実施の形態］
図１は、本発明の第１の実施の形態に係る画像処理システムの概略構成の一例を示す全体図である。この画像処理システム１Ａは、スキャン、コピー等の複数の機能を有する画像処理装置２Ａを備える。
【００２１】
画像処理装置２Ａは、筐体を構成している本体２５と、本体２５内に設けられて、外部から供給される設定シート１１を光学的に読み取って、デジタルデータとしての画像データを生成する読取部２３と、本体２５内に設けられて、設定シート１１等の用紙に印刷データに基づく可視像による印刷を行う印刷部２４と、本体２５内に設けられて、画像処理装置２Ａの各図を制御するコントローラ１００とを備える。
【００２２】
本体２５には、例えば、Ａ４，Ｂ４等のサイズ毎にセットされた用紙を供給する給紙部２５０と、本体２５の外部から用紙を供給する手差し給紙部２５１と、手差し給紙部２５１から供給される用紙を検出する検出器２５２と、印刷部２４により印刷された用紙を排出する排紙部２５３とを備える。
【００２３】
読取部２３は、手差し給紙部２５１から供給される設定シート１１の所定の面を光学的に読み取る、例えば、イメージセンサ等の光電変換素子と、光電変換素子から出力されるアナログ信号をデジタル信号に変換して、設定シート画像データを生成するＡ／Ｄ変換器とを備えている。
【００２４】
印刷部２４は、印刷対象の印刷データに基づいて光信号を生成する露光部２４０と、露光部２４０からの光を所定方向へ反射させるミラー２４１と、ミラー２４１からの光に基づいて表面に潜像が形成されるとともにこの潜像にトナーによる可視像が形成される感光体ドラム２４２と、感光体ドラム２４２上のトナー像を給紙部２５０又は手差し給紙部２５１からの用紙の所定の面上に転写する転写部２４３と、転写されたトナー像を熱及び加圧力により用紙上に定着させる定着器２４４とを備える。
【００２５】
なお、印刷部２４は、上記の電子写真方式の代わりに、インクジェット方式、感熱転写方式、プロッタ方式等の印刷方式を用いてもよいし、それらに限られない。また、印刷データは、設定シート１１を印刷するために画像処理装置２Ａで処理可能な形式（例えば、ＰＤＬ）に変換されたデータである。
【００２６】
（画像処理装置の制御系の構成）
図２は、画像処理装置２Ａの制御系の概略構成の一例を示すブロック図である。この制御系は、上記の読取部２３及び印刷部２４を備える他に、画像処理装置２Ａの各部を動作条件情報２１１に従って制御する、例えば、ＣＰＵ等により実現される制御部２０と、プログラムやデータ等を記憶するＲＯＭ，ＲＡＭ，ハードディスク等により実現される記憶部２１と、ディスプレイの表面にタッチパネルを重畳して構成されたタッチパネルディスプレイや、スタートキー等のハードキーを備えた操作表示部２２とを備える。なお、コントローラ１００は、制御部２０及び記憶部２１により構成されている。
【００２７】
記憶部２１には、後述する図８のフローチャートに示すような画像処理プログラム２１０Ａ及び動作条件情報２１１等が記憶されている。
【００２８】
制御部２０は、画像処理プログラム２１０Ａに従って動作することにより、設定シート１１から読み取られた画像データに対して解析処理を行って、設定シート１１に記録された設定指示情報を取得する画像解析手段２００、画像解析手段２００により取得された設定指示情報が、動作条件情報２１１に基づいて設定可能か否かを判定する動作条件判定手段２０１、動作条件判定手段２０１による判定結果を示す情報として合成画像を生成する合成画像生成手段２０２、及び設定指示情報に基づいて動作条件情報２１１を設定する設定手段２０３等として機能する。
【００２９】
画像解析手段２００による解析処理は、例えば、設定シート画像データにおいて予め定められた領域の画像を切り出し、その画像に含まれるパターン、文字、マーク等と認識辞書とを、例えばパターンマッチング法により比較して、最も類似性の高いものを解析結果とするものである。
【００３０】
図３は、動作条件情報の一例を示す図である。この動作条件情報２１１には、画像処理を実行する際の機能や動作の詳細を定める設定項目毎に、現在設定されている設定値と、設定値となり得る複数の候補と、複数の候補の中から候補を選択する際の設定条件（設定可能条件）とが記憶されている。
【００３１】
なお、ユーザにより選択された候補を選択候補といい、選択候補が設定条件を満たす場合には、その選択候補は、設定値として記憶される。また、設定値は、上記のように複数の候補の中から選択されるものでもよいし、数値等により上限若しくは下限の値、又は範囲を指定されるものでもよい。
【００３２】
設定条件は、例えば「１つ選択可能」の場合には、複数の候補の中から１つの候補が選択可能であることを示し、同時に２つの候補を選択できない。また、設定条件は、「複数選択可能」の場合には、複数の候補の中から少なくとも１つの候補が選択可能であることを示し、同時に複数の候補も選択可能である。
【００３３】
なお、設定条件には、上記のように１つの設定項目内の候補に関する項目内設定条件の他に、複数の設定項目の間で同時に設定可能な候補を示す同時設定条件が記憶されていてもよい。同時設定条件の例としては、例えば、設定項目「用紙サイズ」と設定項目「用紙タイプ」との間で、「Ａ５」と「厚紙」の組合せは同時に設定不可能であり、その他の組合せは同時に設定可能であるという条件が挙げられる。
【００３４】
図４（ａ）は、画像処理装置２Ａにより印刷された設定シートの一例を示す図である。この設定シート１１は、図３に例示する動作条件情報２１１に基づいて印刷され、複数の設定項目１１０と、設定項目１１０毎に対応する複数の候補１１１と、その複数の候補１１１の中から選択した候補をチェックマークにより指定するためのチェックボックス１１２とが印刷されている。
【００３５】
なお、本実施の形態では、設定シート１１は、記録媒体として紙に印刷されるものであるが、設定シート１１の内容を含む情報を、例えば、電子メール等の通信手段を介して表示画面上に表示可能な情報として出力してもよいし、フラッシュメモリや光ディスク等の外部記録メディアに記憶可能な情報として出力するようにしてもよい。
【００３６】
図４（ｂ）は、図４（ａ）の設定シート１１に対してチェックマークが記入された記入済み設定シートの一例を示す図である。この記入済み設定シート１１Ａには、設定項目１１０毎にユーザが選択した選択候補に対応するチェックボックス１１２内にチェックマーク１１３が、例えば、鉛筆等の消去可能な筆記具で記入されている。ここでは、候補「厚紙」に対するチェックマーク１１３ａは、チェックボックス１１２から外れた位置に記入されたものとする。
【００３７】
（第１の実施の形態の動作）
次に、本発明の第１の実施の形態に係る画像処理システムの動作について、図５〜図８を参照し、図８のフローチャートに従って説明する。
【００３８】
まず、ユーザが、図４（ｂ）に例示する記入済み設定シート１１Ａを、画像処理装置２Ａの手差し給紙部２５１にセットし、操作表示部２２を操作して読取指示を行う。画像処理装置２Ａの制御部２０が、その読取指示を受け付けると、手差し給紙部２５１にセットされた記入済み設定シート１１Ａは、本体２５の内部に搬送される。
【００３９】
次に、読取部２３は、その搬送された記入済み設定シート１１Ａを読み取って画像データを生成する（Ｓ１）。
【００４０】
次に、画像解析手段２００は、その生成された画像データに対して解析処理を行い、チェックマーク１１３が記入された位置を認識することにより、設定項目毎の選択候補を記録する設定指定情報を取得する（Ｓ２）。
【００４１】
例えば、図４（ｂ）の記入済み設定シート１１Ａに対する設定指定情報においては、設定項目「用紙サイズ」に対する選択候補は、１つの候補「Ａ４」と記録され、設定項目「用紙サイズ」に対する選択候補は、チェックマーク１１３ａが記入されているが、その位置がチェックボックス１１２から外れており、いずれの候補も選択されていないと認識されるため、「選択候補なし」と記録されている。また、設定項目「倍率」に対する選択候補は、２つの候補「１００％」、「１２２％」と記録され、設定項目「用紙トレイ」に対する選択候補は、２つの候補「トレイ１」、「トレイ２」と記録されている。
【００４２】
次に、動作条件判定手段２０１は、画像解析手段２００により取得された設定指定情報に対して、動作条件情報２１１の設定条件に基づいて、設定可能である否かを判定する（Ｓ３）。この判定は、設定項目毎に行われるものであり、設定可能と判定された設定項目を設定可能項目といい、設定不可能と判定された設定項目を設定不可能項目という。
【００４３】
例えば、図４（ｂ）の記入済み設定シート１１Ａに対する設定指示情報においては、設定項目「用紙サイズ」に対する選択候補は１つの候補であり、設定項目「用紙トレイ」に対する選択候補は２つの候補であり、それらの設定項目の設定条件をそれぞれ満たしているため、設定可能項目とそれぞれ判定される。設定項目「用紙タイプ」に対しては選択候補なしであるため、「１つ選択可能」とする設定条件を満たしておらず、また、設定項目「倍率」に対する選択候補は２つであるため、「１つ選択可能」とする設定条件を満たしていないため、設定不可能項目とそれぞれ判定される。
【００４４】
そして、上記の判定において設定可能項目が存在する場合には、設定手段２０３は、その設定可能項目に対応する選択候補を設定値として動作条件情報２１１に反映する（Ｓ１０）。すなわち、設定項目「用紙サイズ」の選択候補「Ａ４」と、設定項目「用紙トレイ」の選択候補「トレイ１」、「トレイ２」が、設定値として動作条件情報２１１に記憶される。
【００４５】
一方、合成画像生成手段２０２は、各設定項目に対する設定可能であるか否かの判定結果と、設定不可能と判定した場合の判定理由とを記入済み設定シート１１Ａに重ねて印刷するための合成画像を生成する。
【００４６】
図５（ａ）は、生成された合成画像の一例を示す図である。この合成画像１２には、記入済み設定シート１１Ａの対応する位置に、設定可能項目に対する設定可能マーク１２０と、設定不可能項目に対する設定不可能マーク１２１Ａ，１２１Ｂと、設定不可能項目に対する判定理由表示１２２Ａ，１２２Ｂとが配置されている。なお、図５（ａ）の例では、合成画像には、設定可能項目及び設定不可能項目の両方を示す情報が含まれているが、いずれか一方だけを示すように生成してもよい。
【００４７】
設定可能マーク１２０は、例えば、選択候補のチェックマーク１１３を囲む丸印等であり、設定不可能マーク１２１Ａ，１２１Ｂは、例えば、選択候補のチェックマーク１１３を囲む矩形等である。なお、設定可能マーク１２０及び設定不可能マーク１２１Ａ，１２１Ｂは、設定可能項目及び設定不可能項目であることが特定できればよく、特に形状、サイズ等は限られない。
【００４８】
また、合成画像１２には、記入済み設定シート１１Ａが複数回読み取られた場合には、その回数単位で印刷された合成画像１２を識別するための回数情報が付加されている。さらに、合成画像１２は、その回数毎に異なる出力態様で生成されている。
【００４９】
例えば、出力態様として色を変更する場合には、その記入済み設定シート１１Ａに対する１回目の合成画像の場合には「桃色」で生成され、２回目の合成画像の場合には「緑色」として生成される。なお、出力態様は、色に限られず、線の太さ、フォントのサイズや種類等を変更してもよいし、それらを組合せてもよい。このような出力態様に関する情報を記憶部２１に記憶し、ユーザにより操作表示部２２を介して編集可能に構成してもよい。
【００５０】
そして、合成画像生成手段２０２は、その生成した合成画像を印刷部２４の露光部２４０に送り、ミラー２４１、感光体ドラム２４２及び転写部２４３等を介して、その合成画像を記入済み設定シート１１Ａ上に印刷した第１の重ね印刷済み設定シートを排紙部２５３に排出する（Ｓ２１）。
【００５１】
図５（ｂ）は、第１の重ね印刷済み設定シートの一例を示す図である。この第１の重ね印刷済み設定シート１１Ｂは、記入済み設定シート１１Ａに対して合成画像１２を重ねた状態で印刷したものである。したがって、設定可能マーク１２０、設定不可能マーク１２１Ａ，１２１Ｂ及び判定理由表示１２２Ａ，１２２Ｂが、それぞれ対応する設定項目１１０の候補１１１に対して配置されている。
【００５２】
なお、本実施の形態では、合成画像１２を読取対象の記入済み設定シート１１Ａに重ねて印刷するものであるが、その記入済み設定シート１１Ａとは異なる、例えば、給紙部２５０から供給される用紙に、第１の重ね印刷済み設定シート１１Ｂと同等の合成画像を印刷するようにしてもよい。その場合には、設定可能項目に対しては、予めチェックマーク１１３が記入された状態で印刷し、設定不可能項目に対しては、チェックマーク１１３が記入されていない状態で印刷するようにしてもよい。
【００５３】
次に、ユーザは、排紙部２５３に排出された第１の重ね印刷済み設定シート１１Ｂを確認し（Ｓ３０）、その第１の重ね印刷済み設定シート１１Ｂに問題がないか、すなわち、設定不可能マーク１２１Ａ，１２１Ｂが印刷されているか否か判断する（Ｓ３１）。
【００５４】
そして、ユーザが、問題なしと判断した場合には（Ｓ３１：Ｙｅｓ）、設定作業は終了する。一方、問題ありと判断した場合には（Ｓ３１：Ｎｏ）、第１の重ね印刷済み設定シート１１Ｂに対するチェックマーク１１３の記入を修正する。
【００５５】
図６は、修正済み設定シートの一例を示す図である。この修正済み設定シート１１Ｃは、ユーザが第１の重ね印刷済み設定シート１１Ｂを修正したものであり、第１の重ね印刷済み設定シート１１Ｂと比較すると、設定項目「用紙タイプ」の候補「厚紙」に対して、チェックマーク１１３ａを消去するとともにチェックボックス１１２にチェックマーク１１３を記入し、設定項目「倍率」の候補「１００％」に対するチェックマーク１１３を消去し、設定項目「用紙トレイ」の候補「トレイ２」に対するチェックマーク１１３を消去するとともに、候補「手差し」に対してチェックマーク１１３を記入したものである。
【００５６】
そして、ユーザは、その修正済み設定シート１１Ｃを用いて読取指示を行うと（Ｓ３２）、制御部２０は、その読取指示を受け付けて、上記ステップＳ１に戻る。そして、その修正済み設定シートに対する読取処理が行われ（Ｓ１）、その修正済み設定シート１１Ｃを処理対象にして、ステップＳ１以降の２回目の処理が同様に行われる。その結果、修正済み設定シート１１Ｃに対して、１回目の合成画像とは異なる出力態様により生成された２回目の合成画像を重ねて印刷した第２の重ね印刷設定シートが排出される。
【００５７】
図７（ａ）は、第２の重ね印刷設定シート１１Ｄの一例を示す図である。この第２の重ね印刷設定シート１１Ｄには、２回目の合成画像の出力態様として１回目の合成画像に比較して線の太さが太い設定可能マーク１２３が印刷されている。なお、修正済み設定シート１１Ｃには設定不可能項目がないため、２回目の合成画像には、設定不可能マーク、判定理由は含まれていない。
【００５８】
図７（ｂ）は、第２の重ね印刷済み設定シートの一部を拡大した拡大図であり、図７（ｃ）は、さらに設定可能マークの部分を拡大した拡大図である。設定可能マークは、１回目の合成画像により印刷された設定可能マーク１２０と、２回目の合成画像により印刷された設定可能マーク１２３とを解析処理により識別するために、例えば、その回数を表す極小文字１２０Ａ、１２３Ｂ等を複数配列して印刷されている。そして、画像解析手段２００は、その極小文字１２０Ａ、１２３Ｂを解析処理で認識することにより、ユーザによる記入内容か、何回目の合成画像として印刷したものであるかを認識する。なお、極小文字１２０Ａ、１２３Ｂの代わりに特定のパターンを用いてもよい。
【００５９】
以上のようにして、設定指示情報に対する判定結果に応じて、設定シートのチェックマーク１１３の修正が行われ、設定条件を満たす選択候補が動作条件情報２１１に設定される。
【００６０】
［第２の実施の形態］
図９は、本発明の第２の実施の形態に係る画像処理システムの概略構成の一例を示す全体図である。この画像処理システム１Ｂが有する画像処理装置２Ｂは、第１の実施の形態に係る画像処理装置２Ａと比較して、所定の用紙を本体２５内を搬送して、読取部２３及び印刷部２４の両方に順に搬送する機能を備えず、コントローラ１００内に記憶されている画像処理プログラム２１０Ｂによって実現される設定シートを印刷する動作が異なるものである。
【００６１】
画像処理装置２Ｂは、操作表示部２２、読取部２３、印刷部２４、本体２５及びコントローラ１００等を備える。
【００６２】
本体２５には、例えば、Ａ４，Ｂ４等のサイズ毎にセットされた用紙を供給する給紙部２５０Ａ〜２５０Ｃと、本体２５の外部から用紙を印刷部２４に供給する手差し給紙部２５１と、読取部２３及び印刷部２４で処理された用紙を排出する排紙部２５３と、本体２５の外部から原稿１０１を読取部２３に順次供給する原稿自動給紙部２５４と、読取対象の原稿１０１がセットされるプラテン２５５とを備える。
【００６３】
読取部２３は、本体２５内に第１の実施の形態と同様の光電変換素子及びＡ／Ｄ変換器を備え、原稿自動給紙部２５４から供給された原稿又はプラテン２５５上にセットされた原稿１０１に対して読取処理を行って、画像データを生成する。
【００６４】
印刷部２４は、本体２５内に第１の実施の形態と同様の露光部、ミラー、感光体ドラム、転写部及び定着器を備え、給紙部２５０Ａ〜２５０Ｃ又は手差し給紙部２５１から供給される用紙に対して印刷処理を行う。
【００６５】
（第２の実施の形態の動作）
次に、本発明の第２の実施の形態に係る画像処理システムの動作について説明する。
【００６６】
まず、ユーザが、記入済み設定シート１１Ａを、画像処理装置２Ｂの原稿自動給紙部２５４又はプラテン２５５にセットし読取指示を行うと、読取部２３は、そのセットされた記入済み設定シート１１Ａを読み取って画像データを生成する。
【００６７】
次に、画像解析手段２００は、第１の実施の形態と同様に、その生成された画像データに対して解析処理により設定指定情報を取得し、動作条件判定手段２０１は、その設定指定情報に対して、動作条件情報２１１の設定条件に基づいて、設定可能である否かを判定する。そして、合成画像生成手段２０２は、その判定結果に応じて合成画像を生成する。
【００６８】
次に、制御部２０は、その記入済み設定シート１１Ａを手差し給紙部２５１にセットして、合成画像の印刷指示をするようにユーザに要求する設定シート要求メッセージを操作表示部２２に表示して、印刷指示待ち状態となる。
【００６９】
そして、ユーザは、その表示された設定シート要求メッセージに従って、記入済み設定シート１１Ａを手差し給紙部２５１にセットし、操作表示部２２を介して印刷指示を行う。
【００７０】
次に、制御部２０は、印刷指示待ち状態からその印刷指示を受けると、
制御部２０は、手差し給紙部２５１にセットされた記入済み設定シート１１Ａを本体２５内に搬送し、読取部２３は、その記入済み設定シート１１Ａ上に合成画像生成手段２０２により生成された合成画像を印刷して、排紙部２５３に排出する。
【００７１】
以上のようにして、画像処理装置２Ｂにおいて、記入済み設定シート１１Ａ上に合成画像が印刷される。その後、その記入済み設定シート１１Ａを修正して再度読取指示を行った場合には、第１の実施の形態と同様の合成画像が生成され、その合成画像が記入済み設定シート１１Ａ上に印刷される。
【００７２】
［第３の実施の形態］
図１０は、本発明の第３の実施の形態に係る画像処理システムの概略構成の一例を示す全体図である。この画像処理システム１Ｃは、設定シート１３及び原稿１０１等を光学的に読み取って、必要に応じて修正用設定シート１４等を印刷する画像処理装置２Ｃと、画像処理装置２Ｃから送信される電子メール等を画面に表示する端末装置３と、これら画像処理装置２Ｃ及び端末装置３を相互に接続するネットワーク１０とから構成されている。
【００７３】
（画像処理装置）
画像処理装置２Ｃは、第１の実施の形態と同様の制御部２０、記憶部２１、操作表示部２２及び読取部２３、印刷部２４の他に、ＵＲＬ（Uniform Resource Locator）等により指定されたウェブページ要求に応じて、ウェブページ情報を送信するウェブサーバ部２６と、電子メールの送受信を制御するメール送受信部２７と、ネットワーク１０に接続された、例えば、ネットワークインタフェースカードにより実現される通信部２８とから構成されている。
【００７４】
記憶部２１には、後述する図１７及び図１８のフローチャートに示すような画像処理プログラム２１０Ｃと、第１の実施の形態と同様の動作条件情報２１１と、メールアドレス情報２１２とが記憶されている。
【００７５】
制御部２０は、画像処理プログラム２１０Ｃに従って動作することにより、第１の実施の形態と同様の画像解析手段２００、動作条件判定手段２０１、設定手段２０３の他に、
動作条件判定手段２０１による判定結果を示す情報を含む修正用設定シート１４を印刷するための印刷データを作成する修正用シート作成手段２０４等として機能する。
【００７６】
メールアドレス情報２１２は、ユーザを特定するユーザＩＤをキーにして、各ユーザのメールアドレスが記憶されており、操作表示部２２を介して編集可能に構成されている。
【００７７】
（端末装置）
端末装置３は、この端末装置３の各部を制御する、例えば、ＣＰＵ等により実現される制御部３０と、ウェブブラウザ３１０及びメール送受信プログラム３１１等のプログラムやデータ等を記憶する、例えば、ＲＯＭ，ＲＡＭ，ハードディスク等により実現される記憶部３１と、ネットワーク１０に接続された、例えば、ネットワークインタフェースカード等により実現される通信部３２と、データ入力の操作を受け付ける、例えば、キーボード、マウス等により実現される入力部３３と、ウェブブラウザ３１０及びメール送受信プログラム３１１による各種の画面等を表示する、例えば、液晶ディスプレイ等により実現される表示部３４とから構成されている。
【００７８】
このような端末装置３は、例えば、コンピュータ、携帯情報端末（ＰＤＡ）、携帯電話等により構成することができる。
【００７９】
図１１（ａ）は、画像処理装置２Ｃにより印刷された設定シートの一例を示す図である。この設定シート１３は、第１の実施の形態と同様に、複数の設定項目１３０と、設定項目１３０毎に対応する複数の候補１３１と、その複数の候補１３１の中から選択した候補をチェックマークにより指定するためのチェックボックス１３３と、ユーザＩＤを記入するユーザＩＤ記入ボックス１３２とが印刷されている。
【００８０】
図１１（ｂ）は、図１１（ａ）の設定シート１３に対してチェックマークが記入された記入済み設定シートの一例を示す図である。この記入済み設定シート１３Ａには、設定項目１３０毎にユーザが選択した選択候補に対応するチェックボックス１３３内にチェックマーク１３４が記入されている。また、ユーザＩＤ記入ボックス１３２内にもチェックマーク１３４が記入されている。
【００８１】
（第３の実施の形態の動作）
次に、本発明の第３の実施の形態に係る画像処理システムの動作について、図１２〜図１８を参照して説明する。ここでは、画像処理装置２Ｃが実行するジョブとして、原稿１０１に対するコピー処理を行う場合について説明する。
【００８２】
まず、ユーザが、必要に応じてコピー対象の原稿１０１の先頭に、図１１（ｂ）に例示する記入済み設定シート１３Ａを配置して、画像処理装置２Ｃの自動給紙部にセットし、操作表示部２２を操作してコピー指示を行う。なお、原稿１０１を複数束ねてもよいし、さらに原稿１０１の間に別の記入済み設定シート１３Ａを挿入してもよい。
【００８３】
画像処理装置２Ｃの制御部２０は、そのコピー指示を受け付けると、その自動給紙装置にセットされた記入済み設定シート１３Ａ及び原稿１０１を順次読取部２３に搬送する（Ｓ１０１）。
【００８４】
次に、読取部２３は、その搬送された先頭の記入済み設定シート１１Ａを読み取って画像データを生成する。そして、画像解析手段２００は、その生成された画像データに対して解析処理を行い、記入済み設定シート１１Ａであるか否かを判定する（Ｓ１０２）。
【００８５】
そして、画像解析手段２００は、記入済み設定シート１１Ａであると判定した場合には（Ｓ１０２：Ｙｅｓ）、記入済み設定シート１１Ａに対してチェックマーク１３４が記入された位置を認識することにより、設定指定情報を取得する（Ｓ１０３）。
【００８６】
次に、動作条件判定手段２０１は、画像解析手段２００により取得された設定指定情報が動作条件情報２１１の設定条件に基づいて設定可能である否かの設定可否判定を行う（Ｓ１１０）。
【００８７】
そして、動作条件判定手段２０１は、設定不可能項目が存在しないと判定した場合には（Ｓ１１０：Ｎｏ）、設定手段２０３は、その設定指定情報を動作条件情報２１１に反映して、原稿１０１のコピー処理を行う（Ｓ１５０）。なお、設定指定情報は、現在処理対象となっている原稿１０１のコピー処理にだけ反映してもよいし、動作条件情報２１１に記憶して、その後のコピー処理にも反映してもよい。
【００８８】
一方、上記ステップＳ１１０において、動作条件判定手段２０１が、設定不可能項目が存在すると判定した場合には（Ｓ１１０：Ｙｅｓ）、制御部２０は、処理中のジョブであるコピー処理を中断する（Ｓ１３０）。
【００８９】
次に、設定指示情報においてユーザＩＤが指定されている、すなわち、通知ＩＤがない場合には（Ｓ１３１：Ｎｏ）、修正用シート作成手段２０４は、設定不可能項目と判定された設定項目を示す修正用設定シート１４の印刷データを作成し（Ｓ１３２）、印刷部２４により修正用設定シート１４を印刷し、排紙部から排出する（Ｓ１３３）。
【００９０】
図１２は、修正用設定シートの一例を示す図である。この修正用設定シート１４Ａは、動作条件情報２１１の設定条件において、設定項目「倍率」に対する候補「自動」と設定項目「用紙サイズ」に対する候補「自動」とを同時に設定不可能とする同時設定条件が記憶されている場合に印刷されるものである。
【００９１】
修正用設定シート１４Ａには、図１１（ａ）の設定シート１３と同様の複数の設定項目１３０、複数の候補１３１、チェックボックス１３３、ユーザＩＤ記入ボックス１３２とが印刷されるとともに、設定項目「倍率」と設定項目「用紙サイズ」との間で設定不可能と判定された旨を示す設定不可能表示１４０が印刷されている。また、設定可能項目と判定されたその他の設定項目に対しては、予めチェックマーク１３４が記入された状態で印刷されている。なお、修正用設定シート１４Ａは、読取対象の設定シート１１に対して、設定不可能表示１４０を重ねて印刷したものでもよい。
【００９２】
図１３は、設定不可能項目だけが印刷された修正用設定シートの変形例を示す図である。この修正用設定シート１４Ｂは、図１２の修正用設定シート１４Ａと同様の場合には印刷されるものである。修正用設定シート１４Ｂには、設定項目「倍率」と設定項目「用紙サイズ」との間で同時に設定可能な候補の組合せにそれぞれ対応して４つの選択領域１４１Ａ〜１４１Ｄが設けられ、その右上に修正用設定シート１４Ｂであることを特定する特定マーク１４４が印刷されている。
【００９３】
選択領域１４１Ａ〜１４１Ｄには、設定項目１３０と、設定項目１３０に対応する候補１３４と、４つの選択領域１４１Ａ〜１４１Ｄの中から１つを選択する選択ボックス１４２Ａ〜１４２Ｄとがそれぞれ設けられている。選択領域１４１Ａ〜１４１Ｄ内のチェックボックス１３３には、設定条件を満たす候補１３１の組合せ又はいずれかの設定項目の候補１３１に対して、予めチェックマーク１３４が記入された状態で印刷され、チェックマークを記入する際の補助メッセージ１４３Ａ，１４３Ｂが印刷されている。したがって、修正用設定シート１４Ｂは、ユーザにより、選択ボックス１４２Ａ〜１４２Ｄのいずれかに対してチェックマークが記入されるとともに、その選択された選択領域内のチェックボックス１３３に対して必要に応じてチェックマーク１３４が記入される。
【００９４】
特定マーク１４４は、修正用設定シート１４Ｂを特定する情報が記録されており、例えば、ＱＲコード（登録商標）、グリフコード（登録商標）等の２次元コードやバーコード等の１次元コードの機械可読符号であり、画像処理装置２Ｃにより読み取り可能なものである。
【００９５】
なお、図１２及び図１３の修正用設定シート１４Ａ、１４Ｂは、ユーザの選択指示等に応じて、いずれかを印刷するようにしてもよい。
【００９６】
一方、上記ステップＳ１３１において、通知ＩＤがある場合には（Ｓ１３１：Ｙｅｓ）、メール送受信部２７は、メールアドレス情報２１２からそのユーザＩＤに対応するメールアドレスを取得し、そのメールアドレスを宛先としてジョブ中断メールを送信する（Ｓ１４０）。そして、ユーザは、端末装置３を操作し、メール送受信プログラム３１１を起動すると、制御部３０は、そのメール送受信プログラム３１１に従って動作し、その送信されたジョブ中断メールを後述のメール表示画面上に表示する。
【００９７】
図１４は、ジョブ中断メールが表示されたメール表示画面の一例を示す図である。このメール表示画面１５は、ジョブ中断メールの内容を表示した画面であり、上から順にヘッダ表示領域１５０Ａと、メール本文表示領域１５０Ｂと、添付ファイル表示領域１５０Ｃとが設けられている。
【００９８】
ヘッダ表示領域１５０Ａには、件名、宛先、差出人等が表示され、例えば、件名には修正用設定シート１４を特定するためのシートＩＤ１５１が含まれている。
【００９９】
メール本文表示領域１５０Ｂには、後述する修正画面を開くＵＲＬ１５２と、設定項目「倍率」と設定項目「用紙サイズ」との間で設定不可能と判定された旨を示す設定不可能表示１５３と、修正用設定シート１４Ｂにおける選択ボックス１４２Ａ〜１４２Ｄに対応する第１の選択肢１５４と、修正用設定シート１４Ｂにおけるチェックボックス１３３に対応する第２の選択肢１５５Ａ，１５５Ｂとが印刷されている。
【０１００】
添付ファイル表示領域１５０Ｃには、例えば、記入済み設定シート１１Ａを読み取って生成された画像データが添付ファイル１５６として表示されている。
【０１０１】
（修正用設定シートによる修正処理）
次に、図１２又は図１３に例示する修正用設定シート１４により設定指示情報を修正する修正処理について説明する。まず、ユーザが、修正用設定シート１４に対してチェックマーク１３４を記入し、読取指示を行うと、制御部２０は、その修正用設定シート１４を読取部２３に搬送する（Ｓ１０１）。
【０１０２】
次に、読取部２３は、その搬送された修正用設定シート１４を読み取って画像データを生成し、画像解析手段２００は、その生成された画像データが記入済み設定シートであるか否かを判定する（Ｓ１０２）。ここでは、画像データは、修正用設定シート１４を読み取って生成されたものであるため、画像解析手段２００は、記入済み設定シートではないと判定する（Ｓ１０２：Ｎｏ）。
【０１０３】
次に、制御部２０は、ジョブ保留中か否かをステップＳ１３０において、中断されたジョブの有無に応じて判定する（Ｓ１２０）。そして、中断されたジョブがない、すなわち、生成された画像データは、コピー処理対象の原稿であると判定した場合には（Ｓ１２０：Ｎｏ）、コピー処理を実行し（Ｓ１５０）、中断されたジョブがある場合には（Ｓ１２０：Ｙｅｓ）、図１８（ａ）のフローチャートに進む。
【０１０４】
次に、画像解析手段２００は、その生成された画像データが修正用設定シート１４であるか否かを特定マーク１４４に基づいて判定する（Ｓ２０１）。そして、画像解析手段２００は、修正用設定シート１４ではない、すなわち、コピー処理対象の原稿であると判定した場合には（Ｓ２０１：Ｎｏ）、コピー処理を実行する（Ｓ２０２）。
【０１０５】
一方、画像解析手段２００は、修正用設定シート１４であると判定した場合には（Ｓ２０１：Ｙｅｓ）、その修正用設定シート１４に対してチェックマーク１３４が記入された位置を認識することにより設定指定情報を取得して、上記ステップＳ１１０に進む。そして、動作条件判定手段２０１は、修正用設定シート１４から取得された設定指定情報に基づいて、上記と同様の設定可否判定（Ｓ１１０）を行い、設定不可能項目がない場合には（Ｓ１１０：Ｎｏ）、修正用設定シート１４による設定指示情報が反映されて、コピー処理が行われる（Ｓ１５０）。一方、設定不可能項目がある場合には（Ｓ１１０：Ｙｅｓ）、再度修正用設定シート１４の印刷（Ｓ１３２，Ｓ１３３）、又はジョブ中断メールの送信（Ｓ１４０）が行われる。
【０１０６】
（メール表示画面による修正処理）
次に、図１４に例示するメール表示画面１５による修正処理について説明する。まず、ユーザは、端末装置３に表示されたメール表示画面１５においてジョブ中断メールの内容を確認し、その返信としてのジョブ中断解除メールをメール作成画面上で作成する。
【０１０７】
図１５は、メール作成画面の一例を示す図である。このメール作成画面１６には、ジョブ中断解除メールを作成する画面であり、ヘッダ表示領域１６０Ａと、メール本文表示領域１６０Ｂとが設けられている。ヘッダ表示領域１６０Ａには、例えば、件名にシートＩＤ１６１が入力され、メール本文表示領域１６０Ｂには、例えば、第１の選択肢１５４に対応する数字「１」が返信内容１６２として入力される。
【０１０８】
そして、ユーザは、メール作成画面１６上で作成したジョブ中断解除メールの送信指示を行うと、制御部３０は、宛先に指定された画像処理装置２Ｃに対して、ジョブ中断解除メールを送信する。
【０１０９】
また、ユーザが、メール表示画面１５においてＵＲＬ１５２をクリック等により選択した場合には、ウェブブラウザ３１０は、そのＵＲＬ１５２を含むウェブページ要求を画像処理装置２Ｃに送信する。
【０１１０】
ウェブサーバ部２６は、そのウェブページ要求を受信すると、そのＵＲＬ１５２に応じたウェブページ情報を返信する。そして、ウェブブラウザ３１０は、そのウェブページ情報に基づいて、表示部３４に修正画面を表示する。
【０１１１】
図１６は、修正画面の一例を示す図である。この修正画面１７には、ＵＲＬ１７０と、設定不可能表示１７１と、設定項目「用紙」に対する用紙選択領域１７２Ａと、設定項目「倍率」に対する倍率選択領域１７２Ｂと、用紙選択領域１７２Ａ及び倍率選択領域１７２Ｂで選択された候補に決定する決定ボタン１７５と表示されている。
【０１１２】
用紙選択領域１７２Ａ、倍率選択領域１７２Ｂには、複数の候補１７３Ａ，１７３Ｂと、候補１７３Ａ，１７３Ｂに対応する選択ボタン１７４がそれぞれ設けられている。そして、ユーザは、選択ボタン１７４により各設定項目の候補を選択して決定ボタン１７５を押下すると、制御部３０は、選択ボタン１７４により選択された候補に基づいて、ジョブ中断解除メールを作成し、そのジョブ中断解除メールを画像処理装置２Ｃに送信する。
【０１１３】
次に、画像処理装置２Ｃのジョブ保留中の動作について図１８（ｂ）のフローチャートに従って説明する。まず、画像処理装置２Ｃのメール送受信部２７が、メールを受信すると（Ｓ２１１）、その受信したメールがジョブ中断解除メールであるか否か判定する（Ｓ２１２）。例えば、そのメールの件名にシートＩＤが含まれているかに応じて判定すればよい。
【０１１４】
次に、メール送受信部２７は、その受信したメールがジョブ中断解除メールと判定した場合には（Ｓ２１２：Ｙｅｓ）、そのジョブ中断解除メールの本文に記載された返信内容１６２の第１及び第２の選択肢１５４，１５５Ａ，１５５Ｂを示す数字に基づいて、設定指示情報を取得する（Ｓ２１３）。なお、受信したメールがジョブ中断解除メールでない場合には（Ｓ２１２：Ｎｏ）、そのまま終了する。
【０１１５】
次に、動作条件判定手段２０１は、その取得された設定指示情報に対して設定可否判定を行い（Ｓ２１４）、設定不可能項目がない場合には（Ｓ２１４：Ｎｏ）、ジョブ中断解除メールによる設定指示情報が反映されて、コピー処理が行われる（図１７：Ｓ１５０）。一方、設定不可能項目がある場合には（Ｓ２１４：Ｙｅｓ）、再度ジョブ中断メールの送信（Ｓ２１５）が行われる。
【０１１６】
［他の実施の形態］
なお、本発明は、上記各実施の形態に限定されず、本発明の趣旨を逸脱しない範囲内で種々な変形が可能である。例えば、上記の各実施の形態では、設定シートの設定対象は、画像処理装置に記憶された動作条件情報としたが、スキャナ装置、プリンタ装置等の他の画像処理装置に適用してもよい。
【０１１７】
また、上記各実施の形態では、画像処理装置の制御部が有する各種の手段を、制御部と画像処理プログラムとによって実現したが、それらの一部または全部を特定用途向け集積回路（ＡＳＩＣ：Application Specific IＣ）等のハードウェアによって実現してもよい。
【０１１８】
また、上記各実施の形態で使用される画像処理プログラムは、ＣＤ−ＲＯＭ等の記録媒体から装置内の記憶部に読み込んでもよく、インターネット等のネットワークに接続されているサーバ等から装置内の記憶部にダウンロードしてもよい。
【０１１９】
また、本発明の趣旨を逸脱しない範囲内で上記各実施の形態の構成要素を任意に組み合わせることができる。例えば、上記各実施の形態における画像処理システムは、画像処理装置が有する機能やデータ等を画像処理システム全体として備えていればよく、スキャナ装置、プリンタ装置等の単一の機能を有する複数の装置によりシステム的に構成されていいてもよいし、サーバ等の管理装置が追加されて構成されていてもよい。
【図面の簡単な説明】
【０１２０】
【図１】図１は、本発明の第１の実施の形態に係る画像処理システムの概略構成の一例を示す全体図である。
【図２】図２は、画像処理装置の制御系の概略構成の一例を示すブロック図である。
【図３】図３は、動作条件情報の一例を示す図である。
【図４】図４（ａ）は、設定シートの一例を示す図であり、図４（ｂ）は、図４（ａ）の設定シートにチェックマークが記入された記入済み設定シートの一例を示す図である。
【図５】図５（ａ）は、合成画像の一例を示す図であり、図５（ｂ）は、記入済み設定シートに図５（ａ）の合成画像が重ねて印刷された第１の重ね印刷済み設定シートの一例を示す図である。
【図６】図６は、修正済み設定シートの一例を示す図である。
【図７】図７（ａ）は、第２の重ね印刷設定シート１１Ｄの一例を示す図であり、図７（ｂ）は、第２の重ね印刷済み設定シートの一部を拡大した拡大図であり、図７（ｃ）は、設定可能マークの部分を拡大した拡大図である。
【図８】図８は、本発明の第１の実施の形態に係る画像処理システムの動作を示すフローチャートである。
【図９】図９は、本発明の第２の実施の形態に係る画像処理システムの概略構成の一例を示す全体図である。
【図１０】図１０は、本発明の第３の実施の形態に係る画像処理システムの概略構成の一例を示す全体図である。
【図１１】図１１（ａ）は、設定シートの一例を示す図であり、図１１（ｂ）は、図１１（ａ）の設定シートにチェックマークが記入された記入済み設定シートの一例を示す図である。
【図１２】図１２は、修正用設定シートの一例を示す図である。
【図１３】図１３は、設定不可能項目だけが印刷された修正用設定シートの変形例を示す図である。
【図１４】図１４は、ジョブ中断メールが表示されたメール表示画面の一例を示す図である。
【図１５】図１５は、メール作成画面の一例を示す図である。
【図１６】図１６は、修正画面の一例を示す図である。
【図１７】図１７は、本発明の第１の実施の形態に係る画像処理システムの動作を示すフローチャートである。
【図１８】図１８（ａ）は、図１７のフローチャートに接続されるフローチャートであり、図１８（ｂ）は、ジョブ保留中の動作を示す、図１７のフローチャートに接続されるフローチャートである。
【符号の説明】
【０１２１】
１Ａ〜１Ｃ…画像処理システム、２Ａ〜２Ｃ…画像処理装置、３…端末装置、１０…ネットワーク、１１…設定シート、１１Ａ…記入済み設定シート、１１Ｂ…第１の重ね印刷済み設定シート、１１Ｃ…修正済み設定シート、１１Ｄ…第２の重ね印刷設定シート、１２…合成画像、１３…設定シート、１３Ａ…記入済み設定シート、１４，１４Ａ，１４Ｂ…修正用設定シート、１５…メール表示画面、１６…メール作成画面、１７…修正画面、２０…制御部、２１…記憶部、２２…操作表示部、２３…読取部、２４…印刷部、２５…本体、２６…ウェブサーバ部、２７…メール送受信部、２８…通信部、３０…制御部、３１…記憶部、３２…通信部、３３…入力部、３４…表示部、１００…コントローラ、１０１…原稿、１１０…設定項目、１１１…候補、１１２…チェックボックス、１１３，１１３ａ…チェックマーク、１２０…設定可能マーク、１２０Ａ…極小文字、１２１Ａ，１２１Ｂ…設定不可能マーク、１２２Ａ，１２２Ｂ…判定理由表示、１２３…設定可能マーク、１２３Ｂ…極小文字、１３０…設定項目、１３１…候補、１３２…ユーザＩＤ記入ボックス、１３３…チェックボックス、１３４…チェックマーク、１３４…候補、１４０…設定不可能表示、１４１Ａ〜１４１Ｄ…選択領域、１４２Ａ〜１４２Ｄ…選択ボックス、１４３Ａ，１４３Ｂ…補助メッセージ、１４４…特定マーク、１５０Ａ…ヘッダ表示領域、１５０Ｂ…メール本文表示領域、１５０Ｃ…添付ファイル表示領域、１５１…シートＩＤ、１５２…ＵＲＬ、１５３…設定不可能表示、１５４…第１の選択肢、１５５Ａ，１５５Ｂ…第２の選択肢、１５６…添付ファイル、１６０Ａ…ヘッダ表示領域、１６０Ｂ…メール本文表示領域、１６１…シートＩＤ、１６２…返信内容、１７０…ＵＲＬ、１７１…設定不可能表示、１７２Ａ…用紙選択領域、１７２Ｂ…倍率選択領域、１７３Ａ，１７３Ｂ…候補、１７４…選択ボタン、１７５…決定ボタン、２００…画像解析手段、２０１…動作条件判定手段、２０２…合成画像生成手段、２０３…設定手段、２１４…修正用シート作成手段、２１０Ａ〜２１０Ｃ…画像処理プログラム、２１１…動作条件情報、２１２…メールアドレス情報、２４０…露光部、２４１…ミラー、２４２…感光体ドラム、２４３…転写部、２４４…定着器、２５０，２５０Ａ〜２５０Ｃ…給紙部、２５１…手差し給紙部、２５２…検出器、２５３…排紙部、２５４…原稿自動給紙部、２５５…プラテン、３１０…ウェブブラウザ、３１１…メール送受信プログラム
【図１】
2009224973.tif 000003
【図２】
2009224973.tif 000004
【図３】
2009224973.tif 000005
【図４】
2009224973.tif 000006
【図５】
2009224973.tif 000007
【図６】
2009224973.tif 000008
【図７】
2009224973.tif 000009
【図８】
2009224973.tif 000010
【図９】
2009224973.tif 000011
【図１０】
2009224973.tif 000012
【図１１】
2009224973.tif 000013
【図１２】
2009224973.tif 000014
【図１３】
2009224973.tif 000015
【図１４】
2009224973.tif 000016
【図１５】
2009224973.tif 000017
【図１６】
2009224973.tif 000018
【図１７】
2009224973.tif 000019
【図１８】
2009224973.tif 000020